(57)【要約】 本発明は、音楽提供方法及び音楽提供システムに関するもので、より詳しくは、音源に対応するタグ情報を割当て、割当てられたタグ情報に従った音源グループを生成して他使用者に提供する方法及びシステムに関するものであり、音源について使用者から任意の作成タグ情報を受信して受信した作成タグ情報を音源とマッチングして保存する機能を提供することができる。
2018507503.tif 000002
【特許請求の範囲】
【請求項１】
音楽提供システムが遂行する音楽提供方法において、
上記音源に対応するタグ情報を上記音源とマッチングして保存する段階、及び上記音源を再生する段階を含む、音楽提供方法。
【請求項２】
上記タグ情報を上記音源とマッチングして保存する段階は、
上記音源について上記使用者から任意の作成タグ情報を受信する段階、及び
受信した上記作成タグ情報を上記音源とマッチングして保存する段階を含む、請求項１に記載の音楽提供方法。
【請求項３】
上記作成タグ情報を上記音源とマッチングして保存する段階は、
上記使用者から受信した上記作成タグ情報と関係のある一つ以上の推薦タグ情報を推薦する段階、及び
上記推薦タグ情報のうち一つ以上についての入力を上記使用者から受信し、受信した上記推薦タグ情報を上記音源とマッチングして保存する段階を含む、請求項２に記載の音楽提供方法。
【請求項４】
上記作成タグ情報を上記音源とマッチングして保存する段階は、
上記作成タグ情報に従って一つ以上の音源を含む音源グループを生成する段階をさらに含む、請求項２に記載の音楽提供方法。
【請求項５】
上記音源グループを生成する段階は、
生成された上記音源グループを他使用者端末に提供する段階をさらに含む、請求項４に記載の音楽提供方法。
【請求項６】
上記生成された音源グループを他使用者端末に提供する段階は、
上記音源グループの提供によって上記他使用者端末に対して料金を課金する段階をさらに含み、
上記料金を課金する段階は、
上記他使用者端末が既に保有する音源のリストと上記音源グループに含まれた音源とを比較して、未保有音源に対してのみ課金する段階を含む、請求項５に記載の音楽提供方法。
【請求項７】
上記音源を再生する段階は、
使用者からタグ情報についての入力を受信する段階、
受信した上記タグ情報と同一または関係のあるタグ情報を持つ音源をプレイリストに含ませる段階、及び
上記プレイリストを再生する段階を含む、請求項１に記載の音楽提供方法。
【請求項８】
上記音源を再生する段階は、
使用者から上記音源グループについての選択入力を受信する段階、
選択された上記音源グループに含まれた音源をプレイリストに含ませる段階、及び
上記プレイリストを再生する段階を含む、請求項４に記載の音楽提供方法。
【請求項９】
音源の提供及び音源の再生のうち少なくとも一つを遂行する音楽提供システムにおいて、
上記音源に対応するタグ情報を上記音源とマッチングして保存する保存部、及び
上記音源を再生する再生部を含む、音楽提供システム。
【請求項１０】
上記音楽提供システムは、
上記音源について上記使用者から任意の作成タグ情報を受信するタグ割当部をさらに含み、
上記保存部は、
上記タグ割当部が受信した上記作成タグ情報を上記音源とマッチングして保存する、請求項９に記載の音楽提供方法。
【請求項１１】
上記タグ割当部は、
上記使用者から受信した上記作成タグ情報と関係のある一つ以上の推薦タグ情報を推薦し、上記推薦タグ情報のうち一つ以上についての入力を上記使用者から受信し、
上記保存部は、
受信した上記推薦タグ情報を上記音源とマッチングして保存する、請求項１０に記載の音楽提供システム。
【請求項１２】
上記音楽提供システムは、
上記作成タグ情報に従って一つ以上の音源を含む音源グループを生成するグループ生成部をさらに含む、請求項１０に記載の音楽提供システム。
【請求項１３】
上記グループ生成部は、生成された上記音源グループを他使用者端末に提供するグループ提供部をさらに含む、請求項１２に記載の音楽提供システム。
【請求項１４】
上記音楽提供システムは、
上記音源グループの提供に伴って上記他使用者端末に対して料金を課金する課金部をさらに含み、
上記課金部は、
上記他使用者端末が既に保有する音源のリストと上記音源グループに含まれた音源とを比較して、未保有音源に対してのみ課金する、請求項１３に記載の音楽提供システム。
【請求項１５】
上記再生部は、
使用者からタグ情報についての入力を受信し、受信した上記タグ情報と同一または関係のあるタグ情報を持つ音源をプレイリストに含ませ、上記プレイリストを再生する、請求項９に記載の音楽提供システム。
【請求項１６】
上記再生部は、
使用者から上記音源グループについての選択入力を受信し、選択された上記音源グループに含まれた音源をプレイリストに含ませ、上記プレイリストを再生する、請求項１２に記載の音楽提供システム。
【請求項１７】
音楽提供システムによって遂行され、請求項１ないし８のうち少なくとも一つに記載された方法を遂行するために記録媒体に保存されたコンピュータプログラム。
【請求項１８】
請求項１ないし８のうち少なくとも一つに記載された方法を遂行するプログラムが記録されたコンピュータ判読可能な記録媒体。
【発明の詳細な説明】
【技術分野】
【０００１】
本発明は、音楽提供方法及び音楽提供システムに関する。より詳しくは、音源に対応するタグ情報を割当て、割当てられたタグ情報に従った音源グループを生成して、他使用者に提供する方法及びシステムに関する。
【背景技術】
【０００２】
最近になって電子機器の高性能化、小型化、低電力化により、人間生活の全般がスマート機器と共になされており、今や人間生活の機能的な便利さを越えて感性的順化を助けるためのものとしてのスマート機器に対する期待が高まっている。すなわち、スマート機器の感性的進化が要求されている。
【０００３】
音楽提供分野と関連しては、便利にデジタル音源の提供を受け、いつでも再生することができることに焦点を合わせて技術が発達してきた（韓国特許公開番号２００３−００８７７９１号「デジタル音源の受信、保存及び再生方法」）。
しかし聞き手の感性に沿った音源を提供することができる技術の発達は充分でなかった。
【０００４】
音楽鑑賞は、動画鑑賞とは異なり画面を見る必要がなく、移動または運動する時間中に長期間音楽鑑賞をするようになり、この場合ランダム（ｒａｎｄｏｍ  ｐｌａｙ）機能を利用するようになる。大部分の人々が数百曲以上の音源ファイルを保存しているが、目的、趣向、感性及び雰囲気に応じて聞きたい曲を選択的に鑑賞することに困難がある。これまでの技術では、聞きたい曲を選択的に鑑賞するために、毎回各々のファイルを個別選択するか、フォルダを新たに生成して音源ファイルを移動しなければならない等の煩雑さが伴ったためである。 したがって、上述の問題点を解決するための技術が必要となった。
【０００５】
一方、前述の背景技術は、発明者が本発明の導出のために保有していたか、本発明の導出過程で習得した技術情報であって、必ずしも本発明の出願前に一般公衆に公開された公知技術ということはできない。
【発明の概要】
【発明が解決しようとする課題】
【０００６】
本発明の一実施例は、聞き手の目的、趣向、感性及び雰囲気に応じて音源を提供することに目的がある。
また、本発明の一実施例は、聞き手の目的、趣向、感性及び雰囲気に応じて音源のグループを提供することに目的がある。
また、本発明の一実施例は、聞き手の目的、趣向、感性及び雰囲気に応じた音源からなるプレイリストを提供することに目的がある。
【０００７】
また、本発明の一実施例は、聞き手の目的、趣向、感性及び雰囲気に応じた音源に係わるタグ情報、音源グループを他人と共有することができるようにすることに目的がある。
【０００８】
また、本発明の一実施例は、聞き手の目的、趣向、感性及び雰囲気に応じた音源に係わるタグ情報、音源グループを他人と共有することに係わる収益を分配することにより、音源市場での新しい収益構造を創出することに目的がある。
【課題を解決するための手段】
【０００９】
上述した技術的課題を達成するための技術的手段として、本発明の第１側面によれば、音楽提供システムが遂行する音楽提供方法において、音源に対応するタグ情報を音源とマッチングして保存する段階、及び音源を再生する段階を含む音楽提供方法が開示される。
【００１０】
本発明の第２側面によれば、音源の提供及び音源の再生のうち少なくとも一つを遂行する音楽提供システムにおいて、音源に対応するタグ情報を音源とマッチングして保存する保存部、及び音源を再生する再生部を含む音楽提供システムが開示される。
【００１１】
また本発明の第３側面によれば、音楽提供システムによって遂行され、第１側面による音楽提供方法を遂行するために記録媒体に保存されたコンピュータプログラムが開示される。
また本発明の第４側面によれば、第１側面による音楽提供方法を遂行するプログラムが記録されたコンピュータ判読可能な記録媒体が開示される。
【発明の効果】
【００１２】
前述の本発明の課題解決手段のうちいずれか一つによれば、本発明の一実施例は、聞き手の目的、趣向、感性及び雰囲気に応じて音源を提供することができる。
また、本発明の課題解決手段のうちいずれか一つによれば、聞き手の目的、趣向、感性及び雰囲気に応じて音源のグループを提供することができる。
また、本発明の課題解決手段のうちいずれか一つによれば、聞き手の目的、趣向、感性及び雰囲気に応じた音源からなるプレイリストを提供することができる。
【００１３】
また、本発明の課題解決手段のうちいずれか一つによれば、聞き手の目的、趣向、感性及び雰囲気に応じた音源に係わるタグ情報、音源グループを他人と共有することができる。
【００１４】
また、本発明の課題解決手段のうちいずれか一つによれば、聞き手の目的、趣向、感性及び雰囲気に応じた音源に係わるタグ情報、音源グループを他人と共有することに係わる収益を分配することにより、音源市場での新しい収益構造を創出することができる。
【００１５】
本発明で得ることができる効果は以上で言及した効果に制限されず、言及していない他の効果は、以下の記載から本発明が属する技術分野で通常の知識を有する者に明確に理解され得るであろう。
【図面の簡単な説明】
【００１６】
【図１】本発明の一実施例による音楽提供システムの構成図である。
【図２】本発明の一実施例による音楽提供システムを示したブロック図である。
【図３】本発明の一実施例による音楽提供方法を説明するための順序図である。
【発明を実施するための形態】
【００１７】
以下では添付した図面を参照して、本発明が属する技術分野で通常の知識を有する者が容易に実施することができるように、本発明の実施例を詳しく説明する。しかし本発明は、様々に相異した形態で具現されることができ、ここで説明する実施例に限定されない。そして図面において本発明を明確に説明するために説明と関係ない部分は省略したし、明細書全体を通じて類似の部分については類似の図面符号を付けた。
【００１８】
明細書全体で、ある部分が他の部分と「連結」されているというとき、これは「直接的に連結」されている場合だけではなく、その中間に他の素子を間に置いて「電気的に連結」されている場合も含む。また、ある部分がある構成要素を「含む」というとき、これは特別に反対する記載がない限り、他の構成要素を除外するものではなく他の構成要素をさらに含むことができることを意味する。
以下、添付された図面を参考にして本発明を詳しく説明することにする。
図１は、本発明の一実施例による音楽提供システム１００を説明するための構成図である。
【００１９】
音楽提供システム１００は、本発明の一実施例による音楽提供方法を遂行するための装置であり、例えば、新たに生成された音源グループのリストインデックス（ｌｉｓｔ  ｉｎｄｅｘ）を呼び出して音源を再生することができる。具体的には、音源を提供する音源提供サーバ１０及び音源を再生する使用者端末２０を含むことができる。
音源提供サーバ１０は音源とそれに関連した各種データを保存し、ネットワークＮを介して使用者端末２０と音楽再生のためのデータを送受信することができる。
【００２０】
この際、ネットワークＮは、近距離通信網（Ｌｏｃａｌ  Ａｒｅａ  Ｎｅｔｗｏｒｋ；  ＬＡＮ）、広域通信網（Ｗｉｄｅ  Ａｒｅａ  Ｎｅｔｗｏｒｋ；  ＷＡＮ）、付加価置通信網（Ｖａｌｕｅ  Ａｄｄｅｄ  Ｎｅｔｗｏｒｋ；  ＶＡＮ）、個人近距離無線通信（Ｐｅｒｓｏｎａｌ  Ａｒｅａ  Ｎｅｔｗｏｒｋ；  ＰＡＮ）、移動通信網（ｍｏｂｉｌｅ  ｒａｄｉｏ  ｃｏｍｍｕｎｉｃａｔｉｏｎ  ｎｅｔｗｏｒｋ）、Ｗｉｂｒｏ（Ｗｉｒｅｌｅｓｓ  Ｂｒｏａｄｂａｎｄ  Ｉｎｔｅｒｎｅｔ）、Ｍｏｂｉｌｅ  ＷｉＭＡＸ、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）または衛星通信網等のような全ての種類の有／無線ネットワークで具現されることができる。
【００２１】
また音楽提供システム１００は使用者端末２０を含むことができる。使用者端末２０は、ネットワークＮを介して音源提供サーバ１０または他使用者端末に接続可能なコンピュータや携帯用端末機、テレビ、ウェアラブルデバイス（Ｗｅａｒａｂｌｅ  Ｄｅｖｉｃｅ）等で具現されることができる。ここで、コンピュータは、例えばウェブブラウザ（ＷＥＢ  Ｂｒｏｗｓｅｒ）が搭載されたノートブック、デスクトップ（ｄｅｓｋｔｏｐ）、ラップトップ（ｌａｐｔｏｐ）等を含み、携帯用端末機は、例えば携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）、スマートフォン（Ｓｍａｒｔ  Ｐｈｏｎｅ）、モバイルＷｉＭＡＸ（Ｍｏｂｉｌｅ  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等のような全ての種類のハンドヘルド（Ｈａｎｄｈｅｌｄ）基盤の無線通信装置を含むことができる。また、テレビは、ＩＰテレビ（Ｉｎｔｅｒｎｅｔ  Ｐｒｏｔｏｃｏｌ  Ｔｅｌｅｖｉｓｉｏｎ）、インターネットテレビ（Ｉｎｔｅｒｎｅｔ  Ｔｅｌｅｖｉｓｉｏｎ）、地上波テレビ、ケーブルテレビ等を含むことができる。さらにウェアラブルデバイスは、例えば時計、めがね、アクセサリー、衣服、履物等、人体に直接着用可能なタイプの情報処理装置であって、直接または他の情報処理装置を介してネットワークＮを経由して遠隔地の音源提供サーバ１０に接続するか他使用者端末と連結されることができる。
【００２２】
追加的に、音楽提供システム１００は、使用者端末２０と別個に存在する他使用者端末と通信することにより、さらに多様な音楽提供方法の実施例を遂行することができる。
【００２３】
図２は本発明の一実施例による音楽提供システム１００を示すためのブロック図である。図２によれば、音楽提供システム１００は、保存部１０１、タグ割当部１０２、グループ生成部１０３、グループ提供部１０４、課金部１０５及び再生部１０６を含むことができるが、上の構成全てを必ず同時に含まなければならないというものではなく、上の構成のうち一部を含んで本発明の一実施例を具現することができる。また、上の構成は、音源提供サーバ１０及び使用者端末２０のうちいずれか一つまたは二つ全てに備えられて作動することにより、本発明の実施例のうち一つを具現することができる。
【００２４】
具体的な実施例として、保存部１０１は、音源に対応するタグ情報を音源とマッチングして保存することができる。この際、タグ情報とは音源を説明するための一種のキーワード情報であって、音源と別個のデータとして音源にマッチングされて保存されることができる。使用者としては、タグ情報によって音楽の雰囲気を予想したり音源を検索することができる。タグ情報は、音源が使用者に提供される前、音源の提供者によって設定されて保存されることができるが、これを自体タグ情報という。反面、使用者が直接音源に対して付加する任意のタグ情報を作成タグ情報という。音楽提供システム１００は、使用者から作成タグ情報を受信するためのインターフェースを提供するモジュールとしてタグ割当部１０２を含むことができる。
【００２５】
タグ割当部１０２は、音源について使用者から任意の作成タグ情報を受信することができる。この際、使用者から作成タグ情報として受信することができる情報の種類は制限されない。すなわち、使用者としては、自分が望むままに音源についてタグを入力することができる。例えば、喜び、楽しさ、憂鬱等の感情状態、または雨の降る日、晴れた日、穏か、等の雰囲気や、運動する時、食べる時、集中が必要な時等、目的に応じて作成タグ情報を入力することができ、思い出のある場所名、人名等を作成タグ情報として記入して、個人的でありながら固有のタグ情報を音源に対して割当てることができる。さらにタグ割当部１０２は、絵文字等のイメージを提示して使用者から選択を受けることにより音源についてのイメージタグ情報を割当てることができる。
【００２６】
また他の一実施例として、タグ割当部１０２は、使用者から入力された作成タグ情報と関係のある一つ以上の推薦タグ情報を推薦し、推薦タグ情報のうち一つ以上についての入力を使用者から受信することにより、タグ情報を割当てることができる。推薦タグ情報とは、使用者が入力した作成タグ情報と関連のあるタグ情報であって、表記や発音が類似するか作成タグ情報が含まれているタグ情報、作成タグ情報と共通の特徴を持つタグ情報等を含むことができる。または、多数の使用者のタグ情報入力を分析して、連続して入力する頻度が高いタグ情報は関係のあるタグ情報とみて、推薦タグ情報として推薦することができる。または、人気タグ情報や既に入力された作成タグ情報を推薦することもできる。タグ割当部１０２は、上記のような一つ以上の推薦タグ情報を使用者に提示することにより使用者にリストの中から選択させるか、文字で入力を受けることができる。
【００２７】
またタグ割当部１０２は、タグ情報の入力を受信すると、受信したタグ情報を既に登録された他のタグ情報の中で最も類似するタグ情報と同一に変換し、変換されたタグ情報を作成タグ情報として登録することができる。
上記のようにタグ割当部１０２が入力を受けたタグ情報は、保存部１０１が音源とマッチングして保存することができる。
【００２８】
一方、グループ生成部１０３は、タグ情報に従って一つ以上の音源を含む音源グループを生成することができる。例えば、作成タグ情報に従って一つ以上の音源を含む音源グループを生成することができ、この際、作成タグ情報と同一または関係のあるタグ情報を含む一つ以上の音源を検索してグルーピングすることにより、音源グループを生成することができる。関係のあるタグ情報とは、表記や発音が類似するか作成タグ情報を含んでいるタグ情報、作成タグ情報と共通の特徴を持つタグ情報等を含むことができる。または、多数の使用者のタグ情報入力を分析して、連続して入力する頻度が高いタグ情報を関係のあるタグ情報とみて一緒にグルーピングすることができる。後で説明する再生部１０６は、グループ生成部１０３が生成した音源グループに含まれた音源をプレイリストに含ませ、プレイリストを再生することができる。
【００２９】
グループ生成部１０３に係るまた他の実施例として、作成タグ情報をはじめとするタグ情報をＤＢ管理技法を使用して分類することにより、音源グループを生成することができる。例えば、ａｎｄ、ｏｒ、ｉｆ、ｉｎｃｌ．、ｅｘｃｌ．、ｎｏｔ、ｔｈａｎ等の演算子を利用することができ、「韓国バラードの中で２０００年以降に発売された曲。その中の暗い曲。ただしボーイグループは除く」、「ダンスミュージック、非常に早い曲のうち韓国曲は除く」等のような条件に従って音源をグルーピングすることができる。この際、作成タグ情報によって個人的な条件の付与が可能である。例えば、使用者が一人以上の音源に対応する作成タグ情報として「チョルス」、「海雲台」を入力すれば、「チョルスと聞いた音楽の中で海雲台で聞いた音楽」のような条件を入力して音源グループを生成することができる。
【００３０】
生成される音源グループは、新しいフォルダに移動、保存されることにより生成されることもできるが、望ましくは音源グループ情報によって定義されて存在することができる。音源グループ情報とは、グループ生成部１０３で生成した音源グループにどんな音源が含まれているかについてのリストインデックス（ｌｉｓｔ  ｉｎｄｅｘ）、使用者が指定した音源グループの名称等を始めとする音源グループを特定することができる情報をいう。
【００３１】
音源グループと関連して、音楽提供システム１００が使用者端末２０と別個の他使用者端末と通信するとき、音楽提供システム１００は、グループ生成部１０３によって生成された音源グループを他使用者端末に提供するグループ提供部１０４をさらに含むことができる。この際、音源グループの提供は、音源ファイルを転送するか、音源に対するリアルタイムストリーミング権限を与える方式でなされることができ、音源グループと共に音源グループに含まれた音源のタグ情報を提供することもできる。または、グループ提供部１０４は、音源にマッチングされて保存された作成タグ情報を他使用者端末に提供することもできる。
【００３２】
例えば、グループ提供部１０４は、使用者の入力によって音源グループを他使用者端末に提供することができる。もし生成された音源グループと他使用者端末が一つ以上なら、そのうち一つ以上の音源グループと一つ以上の他使用者端末についての選択を使用者から受信して、選択された音源グループを選択された他使用者端末に提供することができる。すなわち、使用者が直接他使用者に対して音源グループを贈答するか推薦することができる。
【００３３】
また他の実施例として、グループ提供部１０４は、生成された音源グループについての音源グループ情報を他使用者端末に提供し、他使用者端末から音源グループ情報に伴う音源グループを選択する入力を受信した後、選択された音源グループを他使用者端末に提供することができる。音源グループ情報の提供は、使用者端末２０で生成された音源グループの音源グループ情報を音源提供サーバ１０にアップロードすることによりなされることができる。この際、音源が含まれた音源グループを直接アップロードする代わりに、音源グループ情報のみをアップロードしてデータ量、時間及び速度の側面で利点を得ることができる。
【００３４】
上記のようなグループ提供部１０４の実施例によって、作成タグ情報をはじめとするタグ情報に従って生成された、使用者固有の音源グループを他使用者と共有することができる。これは使用者固有の感性を他使用者と共有することと同じ効果がある。
【００３５】
すなわち、グループ提供部１０４の実施例を利用すれば、多数の使用者が生成した音源グループを互いに比較して所定個数の音源が重なる類似音源グループを検索し、類似音源グループを生成した使用者の他の音源グループを互いに推薦することができる。これによって、使用者の感性的趣向に合った音源グループを提供するか、似ている感性的趣向を持つ使用者を友達に推薦することができる。
【００３６】
一方、音楽提供システム１００は、音源グループの提供に伴って他使用者端末に対して料金を課金する課金部１０５をさらに含み、課金部１０５は他使用者端末が既に保有している音源のリストと音源グループに含まれた音源とを比較して、未保有音源に対してのみ課金することができる。こうして、他使用者は音源グループの提供を受ける際、音源グループに含まれた音源と既に利用した音源に対して重複して対価を支払う必要がなくなる。
【００３７】
また課金部１０５は、他使用者に音源グループを提供して得た収益を、上記音源グループを提供した使用者と分配することができる。個別の音楽は、新しい音楽との組合せによって新しい価値を持つようになるため、これを利用して特定音楽が組合された音源グループを一般人が出刊するプラットホーム、または有名人や専門家が特殊目的のオムニバスアルバムを出刊するプラットホームの役割をすることができる。例えば、「専門医〜博士が推薦する胎教音楽」、「トップスター〜が好んで聞くパーティー音楽」等のテーマで他使用者に音源グループを提示することができる。このように音源グループを提供した使用者に一定の収益を分配することにより、音源グループの創作に対する対価を支払い、音源グループ創作を激励することができる。他使用者としても、目的、趣向、感性及び雰囲気に合うように生成された音源グループを利用し、それに対する対価を支払うようになって、全体的に音源市場に新しい収益構造が創出される。
【００３８】
また、再生部１０６は、保存部１０１で保存した音源を再生することができる。先に説明したように、保存部１０１は、使用者端末２０及び音源提供サーバ１０の二つのうち一つまたは二つ全てに含まれることができる。本発明の一実施例として、保存部１０１が音源提供サーバ１０に含まれており、再生部１０６は使用者端末２０に含まれているとき、再生部１０６は音源提供サーバ１０から音源のファイルをダウンロードした後に保存して再生するか、音源提供サーバ１０に保存された音源をリアルタイムストリーミング再生することができる。
【００３９】
このような再生部１０６の一実施例は、使用者からタグ情報についての入力を受信し、受信したタグ情報と同一または関係のあるタグ情報を持つ音源をプレイリストに含ませ、プレイリストを再生することができる。この際、タグ情報は、音源に対応して保存された自体タグ情報、及び作成タグ情報のうち少なくとも一つを含むことができる。
【００４０】
また他の実施例として、再生部１０６は、使用者からグループ生成部１０３によって生成された音源グループについての選択入力を受信し、選択された音源グループに含まれた音源をプレイリストに含ませ、プレイリストを再生することができる。この際、プレイリストに音源が含まれるために音源が別途のフォルダに移動される必要はなく、再生しようとする音源のリストインデックス（ｌｉｓｔ  ｉｎｄｅｘ）が生成されることにより具現されることができる。
【００４１】
上記のようなプレイリストは、使用者が自ら音源に対して付加したタグ情報によって構成されるものであり、これによって使用者は、その時その時の目的、趣向、感性及び雰囲気に合うプレイリストの提供を受けることができるようになる。例えば、使用者が一つ以上の音源に別れたボーイフレンドの名前である  「チョルス」という作成タグ情報を入力しておけば、別れたボーイフレンドが思い出される時、「チョルス」というタグ情報を入力してプレイリストの提供を受けることにより、いつでも当時の感性に合った音楽を聞くことができるようになる。
【００４２】
本発明の実施例として、再生部１０６は、プレイリストに含まれた音源をランダムに再生するか、または所定の基準で整列された順序で再生するか、または使用者によって設定された順序に従って再生することができる。また、グループ内の音楽ファイルは、音楽ファイル各々のセッティング値（例えば、音量、バス（ｂａｓｓ）、トレブル（ｔｒｅｂｌｅ）、ディストーション（ｄｉｓｔｏｒｔｉｏｎ）、エコー（ｅｃｈｏ）等）について使用者の入力があれば、上記入力されたセッティング値に従って再生されることができる。
【００４３】
また、再生部１０６は、所定のタグ情報によってグルーピングされた一つ以上の音源を再生するにおいて、一つ以上の音源に対応するタグ情報が複数個の場合、タグ情報各々に対する加重値を付与してプレイリスト内に含まれた音源を整列することができ、整列された順序に従ってグループ内の音源を再生することができる。
【００４４】
また、再生部１０６は、所定のタグ情報に対応する音楽ファイルの保存位置を確認し、保存位置をリスト化して所定のタグ情報にマッチングする音源を再生する時、保存位置に保存されている音源を呼び出して再生することができる
【００４５】
図３に示された実施例による音楽提供方法は、図１ないし図２に示された音楽提供システム１００で時系列的に処理される段階を含む。したがって、以下で省略された内容であるとしても、図１ないし図２に示された音楽提供システム１００に関して上で記述した内容は、図３に示された実施例による音楽提供方法にも適用されることができる。
本発明の一実施例によれば、音楽提供方法は、音源に対応するタグ情報を音源とマッチングして保存する段階、及び音源を再生する段階を含むことができる。
【００４６】
これに係る一つの実施例として、図３によれば、音楽提供方法は、音源について使用者から任意の作成タグ情報を受信する段階Ｓ３０１、及び受信した作成タグ情報を音源とマッチングして保存する段階Ｓ３０２を含むことができる。
【００４７】
この際、Ｓ３０２段階は、使用者から受信した作成タグ情報と関係のある一つ以上の推薦タグ情報を推薦する段階、及び推薦タグ情報のうち一つ以上についての入力を使用者から受信し、受信した推薦タグ情報を音源とマッチングして保存する段階を含むことができる。
【００４８】
さらには、音楽提供方法は、作成タグ情報に従って音源グループを生成する段階Ｓ３０３をさらに含むことができる。使用者から入力を受けた作成タグ情報に従って、一つ以上の音源が含まれた音源グループを生成することができ、この際、一つ以上の音源には作成タグ情報と同一か関係のあるタグ情報を持つ音源が含まれることができる。生成された音源グループに含まれた音源は、後で登場する段階でプレイリストに含まれて再生されることができる。
【００４９】
また他の一実施例として、音楽提供システム１００が使用者端末２０と別個の他使用者端末と通信する時、Ｓ３０３段階は生成された音源グループを他使用者端末に提供する段階をさらに含むことができる。
これにより、使用者固有の音源グループを他使用者に贈答または推薦することにより共有することができる。
【００５０】
この際、音楽提供方法は、音源グループの提供によって他使用者端末に対して料金を課金する段階をさらに含むことができる。料金を課金する段階は、他使用者端末が既に保有する音源のリストと音源グループに含まれた音源とを比較して、未保有音源に対してのみ課金する段階を含むことができる。
また、音楽提供方法は、音源グループに含まれた音源を再生する段階Ｓ１０４を含むことができる。
【００５１】
Ｓ１０４段階の一実施例として、音楽提供方法は、使用者から音源グループについての選択入力を受信する段階、選択された音源グループに含まれた音源をプレイリストに含ませる段階、及びプレイリストを再生する段階を含むことができる。
【００５２】
音源を再生するまた他の実施例として、音楽提供方法は、使用者からタグ情報についての入力を受信する段階、受信したタグ情報と同一または関係のあるタグ情報を持つ音源をプレイリストに含ませる段階、及びプレイリストを再生する段階によって音源を再生することもできる。
【００５３】
図３によって説明された実施例による音楽提供方法は、コンピュータによって実行されるプログラムモジュールのようなコンピュータによって実行可能な命令語を含む記録媒体の形態でも具現されることができる。コンピュータ判読可能媒体は、コンピュータによってアクセスされることができる任意の可用媒体であることができ、揮発性及び非揮発性媒体、分離型及び非分離型媒体を全て含む。また、コンピュータ判読可能媒体は、コンピュータ保存媒体及び通信媒体を全て含むことができる。コンピュータ保存媒体は、コンピュータ判読可能命令語、データ構造、プログラムモジュールまたはその他データのような情報の保存のための任意の方法または技術で具現された揮発性及び非揮発性、分離型及び非分離型媒体を全て含む。通信媒体は、典型的にコンピュータ判読可能命令語、データ構造、プログラムモジュール、または搬送波のような変調されたデータ信号のその他データ、またはその他送信メカニズムを含み、任意の情報伝達媒体を含む。
【００５４】
また本発明の一実施例による音楽提供方法は、コンピュータによって実行可能な命令語を含むコンピュータプログラム（またはコンピュータプログラム製品）で具現されることもできる。コンピュータプログラムは、プロセッサによって処理されるプログラミング可能な機械命令語を含み、高水準プログラミング言語（Ｈｉｇｈ−ｌｅｖｅｌ  Ｐｒｏｇｒａｍｍｉｎｇ  Ｌａｎｇｕａｇｅ）、オブジェクト志向プログラミング言語（Ｏｂｊｅｃｔ−ｏｒｉｅｎｔｅｄ  Ｐｒｏｇｒａｍｍｉｎｇ  Ｌａｎｇｕａｇｅ）、アセンブリ言語または機械言語等で具現されることができる。またコンピュータプログラムは、類型のコンピュータ判読可能記録媒体（例えば、メモリ、ハードディスク、磁気／光学媒体またはＳＳＤ（Ｓｏｌｉｄ−Ｓｔａｔｅ  Ｄｒｉｖｅ）等）に記録されることができる。
【００５５】
したがって本発明の一実施例による音楽提供方法は、上述したようなコンピュータプログラムがコンピューティング装置によって実行されることにより具現されることができる。コンピューティング装置は、プロセッサと、メモリと、保存装置と、メモリ及び高速拡張ポートに接続している高速インターフェースと、低速バスと保存装置に接続している低速インターフェースのうち少なくとも一部を含むことができる。このような成分各々は、多様なバスを利用して互いに接続されており、共通マザーボードに搭載されるか他の適切な方式で装着されることができる。
【００５６】
ここでプロセッサは、コンピューティング装置内で命令語を処理することができるが、このような命令語としては、例えば高速インターフェースに接続されたディスプレイのように外部入力、出力装置上にＧＵＩ（Ｇｒａｐｈｉｃ  Ｕｓｅｒ  Ｉｎｔｅｒｆａｃｅ）を提供するためのグラフィック情報を表示するためにメモリや保存装置に保存された命令語をあげることができる。他の実施例として、多数のプロセッサ及び（または）多数のバスが適切に多数のメモリ及びメモリ形態と共に利用されることができる。またプロセッサは、独立的な多数のアナログ及び（または）デジタルプロセッサを含むチップがなすチップセットで具現されることができる。
【００５７】
またメモリは、コンピューティング装置内で情報を保存する。一例として、メモリは揮発性メモリユニットまたはそれらの集合で構成されることができる。他の例として、メモリは非揮発性メモリユニットまたはそれらの集合で構成されることができる。またメモリは、例えば、磁気あるいは光ディスクのように他の形態のコンピュータ判読可能な媒体であることもできる。
【００５８】
そして保存装置は、コンピューティング装置に大容量の保存空間を提供することができる。保存装置は、コンピュータ判読可能な媒体か、このような媒体を含む構成であることができ、例えば  ＳＡＮ（Ｓｔｏｒａｇｅ  Ａｒｅａ  Ｎｅｔｗｏｒｋ）内の装置や他の構成も含むことができ、プロッピィーディスク装置、ハードディスク装置、光ディスク装置、あるいはテープ装置、フラッシュメモリ、それと類似の他の半導体メモリ装置あるいは装置アレイであることができる。
【００５９】
前述の本発明の説明は例示のためのものであり、本発明が属する技術分野の通常の知識を有する者は、本発明の技術的思想や必須な特徴を変更せずとも他の具体的な形態に容易に変形が可能であるということを理解することができるであろう。それゆえ、以上で記述した実施例はあらゆる面で例示的なものであり、限定的ではないものと理解しなければならない。例えば、単一型で説明されている各構成要素は、分散して実施されることもでき、同様に分散したものと説明されている構成要素も、結合された形態で実施されることができる。
【００６０】
本発明の範囲は、上記の詳細な説明よりは後述する特許請求の範囲によって示され、特許請求の範囲の意味及び範囲そしてその均等概念から導出される全ての変更または変形された形態が、本発明の範囲に含まれるものと解釈されなければならない。
【図１】
2018507503.tif 000003
【図２】
2018507503.tif 000004
【図３】
2018507503.tif 000005
【国際調査報告】
2018507503.tif 000006
2018507503.tif 000007
2018507503.tif 000008
2018507503.tif 000009
2018507503.tif 000010
2018507503.tif 000011